(57)【要約】【目的】  ひねり等によって上パネルの閉ロック状態が解除されるのを防止する。【構成】  記録及び／又は再生装置１は、上面側が開口した筐型の装置本体２と、装置本体２の内部に設けられ記録媒体から情報を再生するメカデッキ部４と、装置本体２の基端側に揺動自在に設けられ先端側に係合体９が設けられた筐型の蓋体５と、装置本体２に設けられ係合体９と係止することにより蓋体２を閉状態でロックする係止体８と、装置本体２の上面開口部２ｂにおける上記先端側の縁部であって、蓋体５が閉じたときの係合体９と近接する位置に突設されると共に、係合体９のストッパーとして機能してロック解除を防止するリブ２ｄと、を備えている。蓋体５が閉状態のとき、係合体９は係止体８とリブ２ｄとの間に配置され、係合体９とリブ２ｄとのクリアランスＬは、係合体９が係止体８から係止離脱する距離Ｓよりも小に設定されている。【選択図】  図３
2006004622.tif 000002
【特許請求の範囲】
【請求項１】
上面側が開口した筐型の装置本体と、
上記装置本体の内部に設けられ、記録媒体から情報を再生するメカデッキ部と、
上記装置本体の基端側に揺動自在に設けられるとともに筐型に形成され、上記装置本体の上面開口部に対向する側が開口し、かつ先端側に係合体が設けられた蓋体と、
上記装置本体に設けられ上記係合体と係合することにより上記蓋体を閉状態でロックする係止体と、
上記装置本体の上面開口部における上記先端側の縁部であって、上記蓋体が閉じたときの上記係合体と近接する位置に突設されると共に、上記係合体のストッパーとして機能してロック解除を防止するリブと、
を備え、
上記蓋体が閉状態のとき、上記係合体は上記係止体と上記リブとの間に配置され、当該係合体と当該リブとのクリアランスが、当該係合体が当該係止体に対して係合離脱する距離よりも小に設定されていることを特徴とする記録及び／又は再生装置。
【請求項２】
請求項１に記載の記録及び／又は再生装置において、
装置本体を合成樹脂で形成して上記リブを上記装置本体の上面開口部の縁部より上記蓋体の係合体側に向けて一体に突出形成したことを特徴とする記録及び／又は再生装置。
【発明の詳細な説明】
【技術分野】
【０００１】
この発明は、記録媒体として光磁気ディスクを用いる携帯用の小型ディスクプレーヤ装置等の記録及び／又は再生装置に関する。
【背景技術】
【０００２】
例えば、光磁気ディスクを用いる録音再生可能な小型ディスクプレーヤ装置が知られている。この小型ディスクプレーヤ装置では、上面側が開口した筐型の装置本体内に、録音媒体（記録媒体）としての光磁気ディスクを回転させるスピンドルモータと再生用の光学ピックアップと録音用で磁界変調オーバーライトヘッド方式の磁気ヘッド等から成るメカデッキ部をセットシャーシを介して配設してある。また、上記装置本体の上面開口部に対して底面側が開口した筐型の蓋体としての上蓋を開閉自在に設けてある。この上蓋の開時に、該上蓋側にはカセットホルダーを介して上記光磁気ディスクを収納した合成樹脂製で筐型のディスクカセットが保持されるようになっている。さらに、上蓋の閉状態は、装置本体側に設けられたロックアーム（係止体）の爪部と該上蓋側に設けられて上記ロックアームの爪部を係脱させるオープンロッカー（係合体）とでロックされるようになっている。（例えば特許文献１）
そして、上記カセットホルダーにディスクカセットを保持した状態で上蓋を閉じると、該ディスクカセット内の光磁気ディスクは上記スピンドルモータで回転するターンテーブル上に装着され、光磁気ディスクに記録された情報が光学ピックアップ等を介して再生されるようになっている。また、上記装置本体の側面等に設けられた録音ボタンをスライド操作することにより、外部マイクロホン等からの入力情報が磁気ヘッド等を介して上記光磁気ディスクに録音されるようになっている。
【特許文献１】特開平４−３８８９７号公報
【発明の開示】
【発明が解決しようとする課題】
【０００３】
上記従来の小型ディスクプレーヤ装置では、上蓋側のオープンロッカーと装置本体側のロックアームは体裁的に外部から見えない部分に設けられ、それらのロック状態は、装置本体の外側等に設けられたオープンボタンをスライド操作することにより解除されるようになっているが、再生ボタン等の操作ボタン類の配置場所の変更等により上記ロックアームとオープンロッカーを体裁的に外部から見えない部分に設けられない場合には、上蓋を閉じた状態で小型ディスクプレーヤ装置を横方向等に捻ると、上蓋の閉ロック状態が外れる虞れがあり、また、小型ディスクプレーヤ装置を誤って落下等させた場合には、上蓋のロックが外れて上蓋や装置本体内のセットシャーシ等が変形したり破損する虞れがあった。
【０００４】
そこで、この発明は、捻りによる蓋体の閉ロック状態の外れや、落下等による蓋体や装置本体の破壊等を確実に防ぐことができる記録及び／又は再生装置を提供するものである。
【課題を解決するための手段】
【０００５】
上面側が開口した筐型の装置本体と、上記装置本体の内部に設けられ、記録媒体から情報を再生するメカデッキ部と、上記装置本体の基端側に揺動自在に設けられるとともに筐型に形成され、上記装置本体の上面開口部に対向する側が開口し、かつ先端側に係合体が設けられた蓋体と、上記装置本体に設けられ上記係合体と係止することにより上記蓋体を閉状態でロックする係止体と、上記装置本体の上面開口部における上記先端側の縁部であって、上記蓋体が閉じたときの上記係合体と近接する位置に突設されると共に、上記係合体のストッパーとして機能してロック解除を防止するリブと、を備えた記録及び／又は再生装置において、
上記蓋体が閉状態のとき、上記係合体は、上記係止体と上記リブとの間に配置され、当該係合体と当該リブとのクリアランスを、当該係合体が当該係止体から係合離脱する距離よりも小に設定した。
【０００６】
また、上記記録及び／又は再生装置において、装置本体を合成樹脂で形成して上記リブを上記装置本体の上面開口部の縁部より上記蓋体の係合体側に向けて一体に突出形成した。
【発明の効果】
【０００７】
蓋体の閉ロック状態、即ち装置本体側の係止体と蓋体側の係合体を係合させて蓋体の閉状態をロックさせた状態で記録及び／又は再生装置を横方向等に捻り、装置本体側の係止体が蓋体側の係合体から外れる方向、即ち係合離脱方向に変位した場合に、係止体が係合体から外れる前に、係合体が装置本体のリブに当たって係合体の更なる変位を防止するとともに、蓋体の更なる変形を防止する。即ち上記リブが係合体のストッパーとして機能するため、係止体と係合体の係合状態が外れることがない。また、記録及び／又は再生装置を誤って落下等させても、蓋体の係合体が装置本体のリブに当たって係止体と係合体の係合状態が外れることはなく、蓋体及び装置本体の過度の破損等が確実に防がれる。さらに、蓋体を開けた場合には、上記リブがメカデッキ部の目隠しとなって装置全体の見栄えが良い。また、上記リブを上記装置本体の上面開口部の縁部より上記蓋体の係合体側に向けて一体に突出形成したので、上記リブを上記装置本体に取付ける場合に較べて部品点数の削減等を図ることができる。
【発明を実施するための最良の形態】
【０００８】
以下、この発明の一実施例を図面と共に詳述する。
【０００９】
図１〜図３において、１は録音再生可能な携帯用の小型ディスクプレーヤ装置（記録及び／又は再生装置）である。この小型ディスクプレーヤ装置１の装置本体２は、上面右側に位置する操作部２ａ以外の上面側が開口した合成樹脂製の筐型に形成してある。この筐型の装置本体２内には、金属製で枠形のセットシャーシ３を介して録音媒体（記録媒体）としての例えば直径６４ｍｍの光磁気ディスクＤに情報を記録再生するメカデッキ部４を配設してあると共に、該装置本体２の上面開口部２ｂに対して底面側が開口した合成樹脂製で筐型の上パネル（蓋体）５を上記セットシャーシ３の左右両側壁にピン枢支された一対の支点板６，７を介して開閉動自在に設けてある。この上パネル５の閉状態は、セットシャーシ３の前壁部の内側にスライド自在に設けられたロックアーム（係止体）８の鉤形の爪部８ａが上パネル５の前壁の内面側に溶着等により固定された合成樹脂製で正面凵字形のオープンロッカー（係合体）９の中央の係合部９ａに係合（係止）されることによりロックされるようになっている。
【００１０】
図１〜図３に示すように、筐型の装置本体２の右側面から正面及び左側面の上部には飾り帯部２ｃを突出形成してある。また、装置本体２の上面開口部２ｂの前縁部の略中央から左端側の上記飾り帯部２ｃには、上記オープンロッカー９の左側面９ｂに近接するようにリブ２ｄを上方へ一体突出形成してある。図３に示すように、リブ２ｄの右側面とオープンロッカー９の左側面９ｂとのクリアランス（隙間）Ｌは、例えばＬ＝０．２〜０．５ｍｍに設定してあり、ロックアーム８の爪部８ａがオープンロッカー９の係合部９ａに係合（係止）している距離Ｓ、逆説的にいえば係合が離脱する距離（例えばＳ＝１．３ｍｍ）より小さくなっている（Ｌ＜Ｓ）。この差の距離Ｓ（例えばＳ−Ｌ＝１．１〜０．８ｍｍ）により、セット（小型ディスクプレーヤ装置１）を図２の矢印Ｘで示す横方向に捻っても上パネル９の閉ロック状態（ロックアーム８の爪部８ａとオープンロッカー９の係合部９ａとの係止状態）が解除されない、即ちロックアーム８の爪部８ａとオープンロッカー９の係合部９ａの係合が外れないようになっている。さらに、図２に示すように、装置本体２の上面右側に突設した操作部２ａには、再生ボタンと早送りボタン及び巻戻しボタン等の操作ボタン類１０を配置してある。
【００１１】
図４に示すように、セットシャーシ３は、前壁部３ａと左側壁部３ｂと後壁部３ｃとで平面コ字状に形成された金属板製のメインシャーシ３Ａと、このメインシャーシ３Ａの前，後壁部３ａ，３ｃの右側にかしめ固定され、右側壁部３ｄと上面片部３ｅで断面Ｌ字状に形成された金属板製のサブシャーシ３Ｂとで構成されて、前記筐型の装置本体２の内面にビス止めされている。このセットシャーシ３の前壁部３ａ及び後壁部３ｃの内面下側の左寄りと、右側壁部３ｄの内面下側の両端には各壁部に対して直角になるように水平曲げ片１５をそれぞれ内側に折り曲げ形成してある。また、セットシャーシ３の後壁部３ｃの略中央には垂直曲げ片１６等を内側に折り曲げ形成してあると共に、該後壁部３ｃの内面左下側にはストッパーとしての金属製の軸１７をかしめ固定してある。この軸１７は小径部１７ａと大径部１７ｂの段差の付いた円柱状に形成してあると共に、図５，８に示すように、該軸１７の基部１７ｃを上記後壁部３ｃに形成された取付孔３ｆにかしめ固定してある。
【００１２】
図８に示すように、上記セットシャーシ３の４つの各水平曲げ片１５上には、メカデッキ部４のメカシャーシ２０を該各水平曲げ片１５の孔部１５ａを通るロッド２１とゴム製のダンパー２２及び圧縮コイルバネ２３等を介して宙に浮くように取付けており、振動や落下時の衝撃力等の外力を吸収できるようになっている。また、このメカシャーシ２０は金属製の板バネ２４によって上側より押さえ付けられていると共に、該メカシャーシ２０の左端側において下方に折り曲げられた折曲部の下端２０ａは、上記軸１７の小径部１７ａの外周面及び大径部１７ｂの正面との間にそれぞれ所定のクリアランス（例えば０．８ｍｍ）を有して位置している。
【００１３】
図８に示すように、上記メカデッキ部４は、上記メカシャーシ２０と、このメカシャーシ２０の略中央にスピンドルモータ２５等を介して取付けられて前記光磁気ディスクＤを回転させるターンテーブル２６と、ガイド軸２７ａ及び送りねじ２７ｂ等を介して光磁気ディスクＤの下方においてそのラジアル方向に往復移動自在に設けられた再生用の光学ピックアップ２８と、この光学ピックアップ２８の往復移動に同期して光磁気ディスクＤの上方においてそのラジアル方向に往復移動するように設けられた録音用で磁界変調オーバーライトヘッド方式の磁気ヘッド２９等で構成されている。
【００１４】
図４，５に示すように、セットシャーシ３の左側壁部３ｂの内側後部には、ピン３０を介して左側の金属製の支点板６を上下方向に揺動自在に支持してある。この支点板６は円弧状の長孔６ａとピン３１及び突出部６ｂを介して上方の揺動位置が規制されるようになっている。また、図６に示すように、セットシャーシ３の右側壁部３ｄの内側後部には、ピン３２を介して右側の金属製の支点板７を上下方向に揺動自在に支持してある。この支点板７は円弧状の長孔７ａとピン３３及び突出部７ｂを介して上方の揺動位置が規制されるようになっている。この一対の支点板６，７の先端側と基端側には複数のねじ孔６ｃ，７ｃを形成してあり、この各ねじ孔６ｃ，７ｃを介して上パネル５を図３に示すようにビス３４を介して締結固定してある。
【００１５】
図４，７に示すように、セットシャーシ３の前壁部３ａの内面の略中央には、一対のピン３５，３５を介して前記ロックアーム８の胴部８ｂに形成された一対の孔部８ｃ，８ｃをスライド自在に支持してある。このロックアーム８は引張りコイルバネ３６を介して左側に付勢されており、該ロックアーム８の胴部８ｂの左端８ｄ側が上記前壁部３ａに形成された矩形の孔部３ｇより少し露出するようになっている。また、セットシャーシ３の前壁部３ａの外面の左側には、オープンレバー３７をスライド自在にかしめ支持してある（このかしめ支持による軸部を図４，７中符号３８で示す）。このオープンレバー３７は引張りコイルバネ３９を介して左側に付勢されており、該オープンレバー３７の上右側の内曲げ部３７ａが上記前壁部３ａに形成された矩形の孔部３ｇ内に挿入されている。このオープンレバー３７の下右側の外曲げ部３７ｂは前記装置本体２の正面左側にスライド自在に設けられたオープンボタン１１に連結されており、該オープンボタン１１を引張りコイルバネ３９の付勢力に抗して右側にスライドさせると、オープンレバー３７の内曲げ部３７ａ等を介して上記ロックアーム８を右側（ロック状態を解除する方向）に移動させるようになっている。さらに、録音，再生時には、装置本体２の左側面にスライド自在に設けられたホールドボタン１２を前側にスライドさせておく。これにより、上記ホールドボタン１２に連係されたホールドレバー４０の先端部４０ａが図４中矢印で示すように矩形の孔部３ｇ内のロックアーム８の胴部８ｂの左端８ｄとオープンレバー３７の内曲げ部３７ａとの間に挿入されてオープンボタン１１をスライド操作することができないようになっている。
【００１６】
さらに、図４，図７に示すように、セットシャーシ３の前壁部３ａの内面の両端側には、録音レバー４１と電池検出レバー４２をそれぞれスライド自在にかしめ支持してある（これらかしめ支持による軸部を図７中符号４３，４４でそれぞれ示す）。この各レバー４１，４２は引張りコイルバネ４５，４６を介してそれぞれ左側に付勢されており、該録音レバー４１の右端下側の外曲げ部４１ａが上記前壁部３ａに形成された矩形の孔部３ｈより外側の下方に露出していると共に、電池検出レバー４２の左端の曲げ部４２ａが左側壁部３ｂの下方より外側に露出している。この録音レバー４１の右端下側の外曲げ部４１ａは前記装置本体２の正面右側にスライド自在に設けられた録音ボタン１３に連結されており、該録音ボタン１３を引張りコイルバネ４５の付勢力に抗して右側にスライドさせると、図示しない録音スイッチがオンとなって光磁気ディスクＤに情報が録音されるようになっている。また、図１に示すように、電池検出レバー４２の左端の曲げ部４２ａは前記装置本体２の左側面の前側に押圧操作自在に設けられた電池検出ボタン１４に連結されており、該電池検出ボタン１４を引張りコイルバネ４６の付勢力に抗して奥の方に押圧操作させると、上パネル５の前側に設けられた液晶ディスプレイ（表示部）５ａに装置本体２の電池収納部２ｈに収納された単三形の一次電池４７のバッテリー残量が表示されるようになっている。
【００１７】
図１に示すように、装置本体２の左側面略中央には、小径の丸孔部２ｉを形成してある。この丸孔部２ｉに対向するセットシャーシ３の左側壁部３ｂにはねじ孔３ｉを形成してある。このねじ孔３ｉは左側壁部３ｂの略中央をバーリング加工により孔開けした後にタップ加工によりねじ形成されて上記丸孔部２ｉより露出している。このねじ孔３ｉには、合成樹脂製で円板状の回転板５１の中央に固定された金属製のねじ５２を介して合成樹脂製で筐型のバッテリーケース（外付け部品）５０を着脱自在に取付けられるようになっている。また、上記セットシャーシ３の左側壁部３ｂのねじ孔３ｉに対向する位置には、該左側壁部３ｂのねじ孔３ｉの下縁側を更に延ばして内側に１８０°折り曲げることにより目隠し片３ｊを一体突出形成してある。そして、この目隠し片３ｊの先端部３ｋで上記ねじ孔３ｉを内側から覆うようにしてある。さらに、図１０（ａ），（ｂ）に示すように、目隠し片３ｊの先端部３ｋのねじ孔３ｉに対向する側の肉厚ｔは、他の部分より薄肉（他の部分の肉厚を例えば０．６ｍｍとした場合にはｔ＝０．２ｍｍ）の略円板状になるようにプレス加工等により形成してある。
【００１８】
尚、上記筐型のバッテリーケース５０内には、蓋体５３を開けて充電可能な図示しないリチウムイオン充電池（二次電池）等の電池が収納されている。また、図１の二点鎖線で示すように、前記光磁気ディスクＤは、合成樹脂製のディスクカセットＫ内に回転自在に収納されており、上パネル５の開閉動に連動して上記一対の支点板６，７等を介して上下方向に揺動する金属製のカセットホルダー１９に保持されてターンテーブル２６に装着されるようになっている。
【００１９】
以上実施例の小型ディスクプレーヤ装置１によれば、図１の二点鎖線で示すように、上パネル５を開き、カセットホルダー１９に光磁気ディスクＤを収納したディスクカセットＫを保持させて上記上パネル５を図１の実線で示すように閉じると、ディスクカセットＫ内の光磁気ディスクＤがメカデッキ部４のターンテーブル２６に装着される。この上パネル５の閉動作時に、上パネル５に固定されたオープンロッカー９の係合部９ａの下面側で装置本体２内のセットシャーシ３にスライド自在に設けられたロックアーム８の爪部８ａの上左端のテーパ面を押すことにより、ロックアーム８は引張りコイルバネ３６の引っ張り力に抗して右側にスライドする。そして、上パネル５により装置本体２の上面開口部２ｂが完全に閉じられると、オープンロッカー９の係合部９ａがロックアーム８の爪部８ａの下側に位置してロックアーム８の爪部８ａとオープンロッカー９の係合部９ａが係止されて上パネル５の閉状態が自動的にロックされる。
【００２０】
この上パネル５の閉ロック状態において装置本体２の右上側に突設された操作部２ａの操作ボタン類１０の再生ボタンを押圧操作すると、光磁気ディスクＤに記録された情報がメカデッキ部４の光学ピックアップ２８等を介して再生され、また、装置本体２の前面右側に配置された録音ボタン１３を右側にスライド操作すると、図示しない外部マイクロホン等からの入力情報がメカデッキ部４の磁気ヘッド２９等を介して上記光磁気ディスクＤに録音される。
【００２１】
また、この上パネル５の閉ロック状態において、図２の矢印Ｘに示すように、セット（小型ディスクプレーヤ装置１）が横方向にひねられると、上パネル５の前側が図中左方向に移動してロックアーム８の爪部８ａがオープンロッカー９の係合部９ａからはずれようとするが、この時、オープンロッカー９の左側面９ｂが装置本体２の飾り帯部２ｃより上方へ一体突出形成されたリブ２ｄに当たって該リブ２ｄがオープンロッカー９のストッパーとして機能する。これにより、ロックアーム８の爪部８ａとオープンロッカー９の係合部９ａとの係合状態が外れることがなく、セットの捻りによる上パネル５の閉ロック状態の不用意な解除を確実に防止することができる。
【００２２】
さらに、小型ディスクプレーヤ装置１を誤って落下等させても、上パネル５のオープンロッカー９の左側面９ｂが装置本体２のリブ２ｄに当たってロックアーム８の爪部８ａとオープンロッカー９の係合部９ａとの係合状態が外れることがないため、上パネル５や該上パネル５内の一対の支点板６，７及び装置本体２内のセットシャーシ３やメカデッキ部４のメカシャーシ２０等の過度の変形，破損等を確実に防止することができる。また、上記装置本体２のリブ２ｄは、上パネル５を開けた際に上記メカデッキ部４の目隠しとなるので、セット全体の見栄えを一段と向上させることができる。
【００２３】
また、小型ディスクプレーヤ装置１の落下時等において、メカデッキ部４に強い衝撃力が加わって該メカデッキ部４のメカシャーシ２０が図８の矢印Ａに示す方向に動いても、セットシャーシ３にかしめ固定された軸１７の大径部１７ｂの正面でメカシャーシ２０の折曲部の下端２０ａが受け止められ、また、メカシャーシ２０が図８の矢印Ｂに示す下方向に動いても、セットシャーシ３にかしめ固定された軸１７の小径部１７ａの外周面でメカシャーシ２０の折曲部の下端２０ａが受け止められる。これにより、図４に示すセットシャーシ３の各水平曲げ片１５の下方への変形や、垂直曲げ片１６の開く方向（図４中右方向）の変形を確実に防止することができ、セットシャーシ３及びメカシャーシ２０の耐久性及び強度を大幅に向上させることができる。また、ストッパーとして機能する軸１７の小径部１７ａは比較的大きな径となっているので、図８の矢印Ｂに示す下方向の衝撃に対しても強度的に強いものとなっている。さらに、メカシャーシ２０の２方向（図８の矢印Ａ，Ｂに示す方向）の動きを１つの軸１７で受け止めるストッパーとしての機能を持たせたので、その分部品点数及び組立工数の削減を図ってセット全体の低コスト化を図ることができる。これらにより、小型ディスクプレーヤ装置１を誤って落としても落下時の衝撃力等に十分耐えることができる強度を有した故障の少ない小型ディスクプレーヤ装置１を低コストで提供することができる。
【００２４】
さらに、図１，図９に示すように、バッテリーケース５０をねじ止めする装置本体２の左側面の丸孔部２ｉより露出したセットシャーシ３のねじ孔３ｉは、目隠し片３ｊの先端部３ｋで覆われているので、これら丸孔部２ｉとねじ孔３ｉからメカデッキ部４の中が見えたり、ゴミ等の異物が入ったり、使用者がいたずら（例えばシャープペン等の先端をねじ孔３ｉに挿入）したりすることを、確実に防ぐことができる。また、上記目隠し片３ｊをセットシャーシ３の左側壁部３ｂに折り曲げ加工（プレス加工）により一体突出形成したことにより、温度等による環境変化に関係なく、セットシャーシ３のねじ孔３ｉを上記目隠し片３ｊにより確実に覆うことができると共に、該ねじ孔３ｉを隠すために目隠しシール等をセットシャーシ３の左側壁部３ｂの内側に貼る必要がなく、その分、材料の有効利用や、部品点数及び組立工数の削減を図ってセット全体の低コスト化を図ることができる。さらに、上記目隠し片３ｊはプレス加工によりねじ孔３ｉの位置からずれることなく折り曲げ形成できるので、セットの量産によるバラツキの減少及び信頼性の向上をより一段と図ることができる。
【００２５】
また、図１０（ａ），（ｂ）に示すように、上記目隠し片３ｊの先端部３ｋのねじ孔３ｉに対向する側の肉厚ｔを他の部分より薄肉の略円板状になるようにプレス加工等により形成したことにより、バッテリーケース５０のねじ５２をねじ孔３ｉに螺合してバッテリーケース５０を装置本体２の左側面に取付ける際に、上記ねじ５２のねじ部のストローク量を稼いでねじ５２がねじ孔３ｉの途中で止まることがなく確実に螺合させることができる。これにより、バッテリーケース５０を装置本体２の左側面に確実に取付けることができる。
【００２６】
尚、前記実施例によれば、記録媒体として録音再生可能な光磁気ディスクを用いる小型ディスクプレーヤ装置について説明したが、記録媒体は光磁気ディスクに限らず、磁気ディスクや磁気テープ等を用いる他のディスクプレーヤ装置やＶＴＲ等の他の記録及び／又は再生装置に前記実施例を適用できることは勿論である。また、合成樹脂製の上パネルに合成樹脂製のオープンロッカーを溶着等で固定したが、金属製の上パネルに金属製のオープンロッカーをかしめ等で固定してもよい。さらに、メカシャーシのストッパーとして段差の付いた軸をセットシャーシの後壁部に１つ取付けたが、セットシャーシの前壁部と左側壁部と右側壁部にもそれぞれストッパーとしての軸を取付けてもよい。さらにまた、外付け部品としてバッテリーケースを用いたが、外付け部品はバッテリーケースに限らないことは勿論である。
【図面の簡単な説明】
【００２７】
【図１】この発明の一実施例を示す小型ディスクプレーヤ装置の左側面図。
【図２】上記小型ディスクプレーヤ装置を正面側から見た部分斜視図。
【図３】上記小型ディスクプレーヤ装置の正面図。
【図４】上記小型ディスクプレーヤ装置に用いられるセットシャーシの全体斜視図。
【図５】上記セットシャーシの左側壁部にピン枢支された左側の支点板を内側から見た説明図。
【図６】上記セットシャーシの右側壁部にピン枢支された右側の支点板を内側から見た説明図。
【図７】上記セットシャーシの前壁部にスライド自在に支持されたロックアーム部分を内側から見た説明図。
【図８】上記セットシャーシに対して浮くように支持されたメカデッキ部の構成を示す説明図。
【図９】上記セットシャーシの左側壁部側と該左側壁部側に着脱自在に取付けられるバッテリーケースの斜視図。
【図１０】（ａ）は、上記セットシャーシの左側壁部に形成されたバッテリーケース取付用のねじ孔を目隠しする目隠し片を内側から見た斜視図、（ｂ）は同目隠し片の先端部を上記左側壁部側から見た斜視図。
【符号の説明】
【００２８】
１…ディスクプレーヤ装置（記録及び／又は再生装置）
２…装置本体
２ｂ…上面開口部
２ｄ…リブ
４…メカデッキ部
５…上パネル（蓋体）
８…ロックアーム（係止体）
９…オープンロッカー（係合体）
Ｄ…光磁気ディスク（記録媒体）
【図１】
2006004622.tif 000003
【図２】
2006004622.tif 000004
【図３】
2006004622.tif 000005
【図４】
2006004622.tif 000006
【図５】
2006004622.tif 000007
【図６】
2006004622.tif 000008
【図７】
2006004622.tif 000009
【図８】
2006004622.tif 000010
【図９】
2006004622.tif 000011
【図１０】
2006004622.tif 000012